【事件の表示】
　平成　９年特許願第２３３０１１号「ソフトＰＷＭスイッチング式のダブルフォワードコンバータ」拒絶査定に対する審判事件［平成１０年　４月２４日出願公開、特開平１０−１０８４５８］について、次のとおり審決する。
【結　論】
　本件審判の請求は、成り立たない。
【理　由】
１．手続の経緯・本願発明
　本願は、平成　９年　８月２８日(パリ条約による優先権主張平成　８年　８月２９日、米国)の出願であって、その請求項１に係る発明は、平成１２年　７月１７日付手続補正書によって補正された明細書における特許請求の範囲の請求項１に記載された次のとおりのものと認める。(以下、それぞれ「本願発明１」という。)
　　　　　　　　　　　　　　　　　　　　　　　　　　　　　　　　　　
「【請求項１】一次巻線及び複数の二次巻線を有し、一次巻線がＤＣ電源に接続される変成器と；
　上記ＤＣ電源と上記一次巻線との間に電気的に接続され、上記ＤＣ電源及び変成器からのエネルギー転送を制御するためのメインスイッチと；
　上記一次巻線及びメインスイッチに電気的に接続された一対の入力端子と；
　上記メインスイッチを制御するためのパルス巾変調回路と；
　上記メインスイッチ及び第１キャパシタに電気的に接続された補助スイッチであって、この補助スイッチと第１キャパシタは、上記メインスイッチがターンオフされたときに上記変成器のエネルギーを自動的に放出するような補助スイッチと；
　上記複数の二次巻線に電気的に接続された第１及び第２の整流デバイスと；
　上記第１の整流デバイスに直列に接続された第１の可飽和リアクトルと；
　上記第２の整流デバイスに直列に接続された第２の可飽和リアクトルと；
　上記第１及び第２の整流デバイスに電気的に接続され、これら第１及び第２の整流デバイスの逆回復ロスを防止するために上記メイン及び補助スイッチがターンオフされたときに導通するフリーホイールダイオードと；
　上記フリーホイールダイオードにまたがって電気的接続された一対の出力端子とを備えたことを特徴とするＤＣ／ＤＣコンバータ回路。」
　　　　　　　　　　　　　　　　　　　　　　　　　　　　　　　　　　
２．引用例
(１)これに対して、原査定の拒絶の理由に引用された、本願の出願の日前である平成　６年　８月　５日に頒布された「実願平５−４５号(実開平６−５７０９０号)のＣＤーＲＯＭ」(以下、「刊行物１」という。)には、
(ａ)「【請求項１】一次巻線が２分割され各一次巻線のそれぞれの一端が入力電圧源に接続されたトランス、前記入力電圧源の出力を分割する一対のコンデンサ、前記トランスの一次巻線のそれぞれの他端間に直列に接続された一対の主スイッチング素子、この一対の主スイッチング素子に並列に接続された補助コンデンサと補助スイッチング素子よりなる直列回路、前記トランスの二次巻線に接続された整流・平滑回路、この整流・平滑回路の出力を取り出す出力端子、前記整流・平滑回路の出力と基準電圧との差を出力する誤差増幅器、及びこの誤差増幅器の出力が与えられるパルス幅変調回路を具備し、このパルス幅変調回路の出力信号により前記一対の主スイッチング素子を同期してオン・オフ駆動させると共に、この駆動信号とは反対極性のパルス幅変調信号で前記補助スイッチング素子を駆動させるように構成したスイッチング電源装置。
【請求項２】前記一対の主スイッチング素子と前記補助スイッチング素子の駆動において、全てのスイッチング素子が共にオフとなる期間を駆動信号の変化時に設けるように構成した請求項１記載のスイッチング電源装置。
」(特許請求の範囲)
(ｂ)「このような本考案では、パルス幅変調信号により一対のスイッチング素子が同期して駆動され、また補助スイッチング素子が反対極性のパルス幅変調信号により駆動される。」(段落番号【0006】)　
(ｃ)「各スイッチング素子Ｓ１〜Ｓ３にはダイオードＤ１〜Ｄ３がそれぞれ並列に接続されている。これらのダイオードは、スイッチング素子Ｓ１〜Ｓ３が全てオフとなるような場合に、トランスＴを流れる電流が不連続にならないように設けられたものである。」(段落番号【0007】)
(ｄ)「スイッチング素子Ｓ１とＳ２がオンで、Ｓ３がオフの時、コンデンサＣ１とＣ２で分割された入力電圧ＶinはトランスＴの一次巻線Ｎ１とＮ２に印加される。逆に、Ｓ１とＳ２がオフで，Ｓ３がオンになると、コンデンサＣ３とスイッチング素子Ｓ３の直列回路を介してトランスＴの磁束がリセットされる。スイッチング素子Ｓ１〜Ｓ３がオン・オフすることにより、トランスＴの二次巻線Ｎ３に発生した電圧は整流・平滑回路ＲＥで整流・平滑されて出力端子ＯＵＴより電圧Ｖoutとして取り出される。」(段落番号【0009】)
(ｅ)「本考案によれば、トランスＴの一次巻く線(「巻線」の誤記)を分割し、各一次巻線にスイッチング素子を接続し、この両スイッチング素子を同期して駆動するように構成したので、主スイッチング素子のバランスが調整され、信頼性の高いスイッチング電源装置を得ることが出来る。」(段落番号【0011】)
との記載がある。
(ｆ)また、図面第１図には、一次巻線Ｎ１，Ｎ２及び二次巻線Ｎ３とからなるトランスＴ、主スイッチング素子Ｓ１，Ｓ２、一次巻線Ｎ１，Ｎ２及び主スイッチング素子Ｓ１，Ｓ２に電気的に接続された一対の入力端子、補助スイッチング素子Ｓ３、補助コンデンサＣ３、ダイオードＤ１〜Ｄ３、パルス幅変調回路ＰＷＭ、二次巻線Ｎ３に電気的に接続された一対の出力端子等から構成されるスイッチング電源装置の回路図が示されている。
　　　　　　　　　　　　　　　　　　　　　　　　　　　　　　　　　　
　以上のことから、主スイッチング素子Ｓ１，Ｓ２が同期して駆動されることを考慮し、一次巻線についてはＮ１に着目して図面を参照すると、刊行物１には、
「一次巻線Ｎ１及び二次巻線Ｎ３を有し、一次巻線Ｎ１がＤＣ電源に接続されるトランスＴと；
　上記ＤＣ電源と上記一次巻線Ｎ１との間に電気的に接続され、上記ＤＣ電源及びトランスＴからのエネルギー転送を制御するための主スイッチング素子Ｓ１，Ｓ２と；
　上記一次巻線Ｎ１及び主スイッチング素子Ｓ１，Ｓ２に電気的に接続された一対の入力端子と；
　上記主スイッチング素子Ｓ１，Ｓ２を制御するためのパルス巾変調回路ＰＷＭと；
　上記主スイッチング素子Ｓ１，Ｓ２及び補助コンデンサＣ３に電気的に接続された補助スイッチング素子Ｓ３であって、この補助スイッチング素子Ｓ３と補助コンデンサＣ３は、上記主スイッチング素子Ｓ１，Ｓ２がターンオフされたときに上記トランスＴのエネルギーを自動的に放出するような補助スイッチング素子Ｓ３と；
  上記二次巻線Ｎ３に電気的接続された一対の出力端子と；
　を備えたスイッチング電源装置の回路であって、
　上記主スイッチング素子Ｓ１，Ｓ２と上記補助スイッチング素子Ｓ３の駆動において、全てのスイッチング素子Ｓ１，Ｓ２，Ｓ３が共にオフとなる期間を駆動信号の変化時に設けるように構成したスイッチング電源装置の回路。」
が記載されていると認められる。
　　　　　　　　　　　　　　　　　　　　　　　　　　　　　　　　　　
(２)同じく本願の出願の日前である昭和６４年　４月　５日に頒布された「特開昭６４−８９９６３号公報」(以下、「刊行物２」という。)には、
(ｇ)図面第１図には、電流遮断回路１０、遅延回路１１、駆動回路１２，１３、負荷１４，主スイッチ１５，１６、入力電圧源１７、複数の二次巻線を備えた変圧器２０、ダイオードを備えた整流回路２１、平滑回路２２等からなる共振形コンバータの回路図が示され、又、同第４図には、複数の二次巻線、可飽和リアクトル４２，４１、前記各可飽和リアクトル４２，４１に直列接続した２個のダイオード、一対の出力端子がまたがって電気的接続している１個のダイオード等からなる電流遮断回路の構成例を示す回路図が記載されている。そして、前記各回路図の説明として、
(ｈ)第１図につき、「一つの主スイッチがターンオンし、他方のスイッチがターンオフする時点には、通常、スイッチ損失を小さくするために、共振用コンデンサ１９の印加電圧が０すなわち変圧器２０および主スイッチ１５，１６の印加電圧が０のときに設定される。」(公報第３頁右上欄第１７行〜左下欄第２行)こと、
(ｉ)同じく、「初めに、ーつの主スイッチがタ−ンオンし、他方の主スイツチがターンオフすると、この時点から共振用コンデンサ１９の両端に正弦波の共振電圧が発生する。このとき、整流回路２１の２個のダイオ−ドは、一方がオン状態で他方がオフ状態となり、一次側から二次側にエネルギ−が伝送される。次に、半サイクル経過し、正弦波の共振電圧が再び０になると、いままでオン状態であった一方の主スイツチがターンオフし、逆にオフ状態であった他方の主スイッチがターンオンする。この時点から、共振用コンデンサ１９の両端に前記半サイクルのときとは逆極性の正弦波の共振電圧が発生する。このとき、整流回路２１の２個のダイオ−ドは、前記半サイクルでオン状態であった一方がオフ状態となり、逆にオフ状態であった他方がオン状態となるので、一次側から二次側にエネルギ一が伝送される。」(公報第３頁左下欄第３〜１９行)こと、
(ｊ)第４図につき、「電流遮断回路１０は、変圧器２０の二次巻線の両端にそれぞれ直列に接続された可飽和リアクトル４１，４２と、動作停止信号 を受けてこれらリアクトルをリセットする駆動回路４３，４４とを含んでいる。・・・したがつて、動作停止信号を受けて、駆動回路４３，４４が可飽和リアクトル４１、４２をリセットすれば、負荷へのエネルギー伝送が停止され、無負荷状態にできる。また、出力電圧を変圧器の二次側で広範囲に設定可能でる。」(公報第４頁右上欄第２０行〜左下欄第１１行)こと、
が記載されている。
　　　　　　　　　　　　　　　　　　　　　　　　　　　　　　　　　　
　以上のことから、図面を参照すると刊行物２には、
「一次巻線及び複数の二次巻線を有し、一次巻線が入力電圧源１７に接続される変圧器と；
　上記入力電圧源１７と上記一次巻線との間に電気的に接続され、上記入力電圧源１７及び変圧器からのエネルギー転送を制御するための主スイッチ１５，１６と；
　上記一次巻線及び主スイッチに電気的に接続された一対の入力端子と；
　複数の二次巻線に電気的に接続された第１及び第２のダイオ−ドと；
　上記第１のダイオ−ドに直列に接続された第１の可飽和リアクトル４２と；
　上記第２のダイオ−ドに直列に接続された第２の可飽和リアクトル４１と；
　上記第１及び第２のダイオ−ドに電気的に接続されたフリーホイールダイオードと；
　上記フリーホイールダイオードにまたがって電気的接続された一対の出力端子とを備えたコンバータ回路。」
が記載されていると認められる。
　　　　　　　　　　　　　　　　　　　　　　　　　　　　　　　　　　
３．対　比
　本願発明１と刊行物１に記載された発明(以下、「引用発明１」という。)とを対比すると、後者の「一次巻線Ｎ１」、「二次巻線Ｎ３」、「トランスＴ」、「主スイッチング素子Ｓ１，Ｓ２」、「一対の入力端子」、「補助コンデンサＣ３」、「パルス幅変調回路ＰＷＭ」、「補助スイッチング素子Ｓ３」、「スイッチング電源装置の回路」は、それぞれ、前者の「一次巻線ｎ１」、「二次巻線ｎ２」、「変成器ＸＦＲＭ」、「メインスイッチＭ１」、「一対の入力端子」、「第１キャパシタＣｒ」、「パルス巾変調回路ＰＷＭ」、「補助スイッチＭ２」、「ＤＣ／ＤＣコンバータ回路」に相当するから、両者は、
「一次巻線及び複数の二次巻線を有し、一次巻線がＤＣ電源に接続される変成器と；
　上記ＤＣ電源と上記一次巻線との間に電気的に接続され、上記ＤＣ電源及び変成器からのエネルギー転送を制御するためのメインスイッチと；
　上記一次巻線及びメインスイッチに電気的に接続された一対の入力端子と；
　上記メインスイッチを制御するためのパルス巾変調回路と；
　上記メインスイッチ及び第１キャパシタに電気的に接続された補助スイッチであって、この補助スイッチと第１キャパシタは、上記メインスイッチがターンオフされたときに上記変成器のエネルギーを自動的に放出するような補助スイッチと；
　一対の出力端子と；
を備えたことを特徴とするＤＣ／ＤＣコンバータ回路であって、
　上記メイン及び補助スイッチが共にターンオフとされるときを設けるように構成したＤＣ／ＤＣコンバータ回路。」
である点で一致し、
　　　　　　　　　　　　　　　　　　　　　　　　　　　　　　　　　　
(イ)本願発明１は、複数の二次巻線に電気的に接続された第１及び第２の整流デバイスと；上記第１の整流デバイスに直列に接続された第１の可飽和リアクトルと；上記第２の整流デバイスに直列に接続された第２の可飽和リアクトルと；上記第１及び第２の整流デバイスに電気的に接続されたフリーホイールダイオードと；上記フリーホイールダイオードにまたがって電気的接続された一対の出力端子と(以上の構成を「複数の二次巻線を含む出力側回路」と呼ぶ。)を備えているのに対して、引用発明１は、二次巻線に電気的に接続された一対の出力端子を備えているものの、その余の構成を備えていない点、
(ロ)本願発明１は、上記相違点(イ)に係る構成において、第１及び第２の整流デバイスの逆回復ロスを防止するためにメイン及び補助スイッチがターンオフされたときに、上記フリーホイールダイオードが導通するものであるのに対して、引用発明１には、そのような記載がない点、
で相違している。
　　　　　　　　　　　　　　　　　　　　　　　　　　　　　　　　　　
４．当審の判断
(１)相違点(イ)について
　上記相違点(イ)について検討するに、上記刊行物２には、上記「２．引用例　(２)」の項に記載したとおりの回路構成が記載されている。
　そして、当該回路中、「入力電圧源１７」、「変圧器２０」、「主スイッチ１５，１６」、「第１及び第２のダイオ−ド」は、それぞれ、本願発明１の「ＤＣ電源」、「変成器」、「メインスイッチ」、「第１及び第２の整流デバイス」に相当すること明らかであるから、上記刊行物２には、上記相違点(イ)に係る「複数の二次巻線を含む出力側回路」を包含する回路構成である、
「一次巻線及び複数の二次巻線を有し、一次巻線がＤＣ電源に接続される変成器と；
　上記ＤＣ電源と上記一次巻線との間に電気的に接続され、上記ＤＣ電源及び変成器からのエネルギー転送を制御するためのメインスイッチと；
　上記一次巻線及びメインスイッチに電気的に接続された一対の入力端子と；
　複数の二次巻線に電気的に接続された第１及び第２の整流デバイスと；
　上記第１の整流デバイスに直列に接続された第１の可飽和リアクトルと；
　上記第２の整流デバイスに直列に接続された第２の可飽和リアクトルと；
　上記第１及び第２の整流デバイスに電気的に接続されたフリーホイールダイオードと；
　上記フリーホイールダイオードにまたがって電気的接続された一対の出力端子とを備えたＤＣ／ＤＣコンバータ回路。」
が記載されていると言える。
　しかるに、ＤＣ電源と一次巻線との間に電気的に接続されたメインスイッチをターンオン，ターンオフすることにより、上記ＤＣ電源及び変成器からのエネルギーを出力端子側に転送するものである点において、本願発明１と上記刊行物２に記載の回路構成と何等差異はなく、かつ、二次側の巻線を複数の巻線で構成すること自体は周知の技術事項であることからすれば、引用発明１の「二次巻線を含む出力側回路」に換えて、上記刊行物２に記載の「複数の二次巻線を含む出力側回路」を採用することに、何等阻害要因を見出すこともできず、結局のところ、引用発明１において、上記刊行物２に記載の出力側回路構成を採用することは、当業者ならば容易に想到できたことと言わざるを得ない。
(２)相違点(ロ)について
　同じく、上記刊行物２に記載の出力側回路においては、変圧器の二次巻線は、一対の可飽和リアクトルに接続されるとともに、これらリアクトルは整流デバイスに接続されている。かつ、二次巻線にまたがってフリーホイールダイオードが接続されている。
  そうである以上、引用発明１において、上記刊行物２に記載の出力側回路構成が採用された場合、これらの回路特性から、メイン及び補助スイッチがターンオフされたときにフリーホイールダイオードが導通することにより、第１及び第２の整流デバイスの逆回復ロスを防止する作用を奏するであろうことは、当業者において明らかなことである。
　　　　　　　　　　　　　　　　　　　　　　　　　　　　　　　　　　
５．むすび
　したがって、本願発明１は、刊行物１及び２に記載された発明に基づいて当業者が容易に発明をすることができたものであるので、特許法第２９条第２項の規定により特許を受けることができない。
  よって、結論のとおり審決する。